(57)【要約】【課題】ワンセグ放送を受信可能な移動体受信装置であって、固定受信装置と連携することでワンセグ放送を簡単かつ有効に利用できる移動体受信装置を提供する。【解決手段】移動体受信装置において、固定受信用放送を受信可能な固定受信装置の選局を行うための操作部と、操作部からの操作信号に基づくリモコン信号を固定受信装置に送信する送信部と、ワンセグ放送を受信する受信部と、受信部で受信したワンセグ放送から映像信号及び音声信号を生成する信号処理部と、信号処理部で生成された映像信号又は音声信号に基づいて映像又は音声を出力する出力部と、固定受信装置において選局されているチャンネルの情報を記憶する記憶部と、記憶部に記憶されているチャンネル情報に基づいて、受信部に当該チャンネルで提供されているワンセグ放送を受信させる制御部と、を備える。【選択図】図４
2009088624.tif 000002
【特許請求の範囲】
【請求項１】
地上デジタル放送に含まれる固定受信用放送を受信可能な固定受信装置の選局を行うための操作部と、
前記操作部からの操作信号に基づくリモコン信号を前記固定受信装置に送信する送信部と、
地上デジタル放送に含まれる移動体受信用放送を受信する受信部と、
前記受信部で受信した移動体受信用放送から映像信号及び音声信号を生成する信号処理部と、
前記信号処理部で生成された映像信号又は音声信号に基づいて映像又は音声を出力する出力部と、
前記固定受信装置において選局されているチャンネルの情報を記憶する記憶部と、
前記記憶部に記憶されているチャンネル情報に基づいて、前記受信部に当該チャンネルで提供されている移動体受信用放送を受信させる制御部と、
を備えることを特徴とする移動体受信装置。 
【請求項２】
前記記憶部は、前記操作部からの操作信号に含まれるチャンネル情報を記憶することを特徴とする請求項１に記載の移動体受信装置。 
【請求項３】
前記操作部は、当該移動体受信装置において移動体受信用放送を視聴するための操作ボタンを有し、
前記制御部は、前記操作ボタンの操作により移動体受信用放送の視聴が有効となった場合に、前記受信部に移動体受信用放送を受信させることを特徴とする請求項１又は２に記載の移動体受信装置。 
【請求項４】
前記移動体受信用放送で提供される番組内容は、前記固定受信用放送で提供される番組内容とは異なることを特徴とする請求項１から３の何れか一項に記載の移動体受信装置。
【請求項５】
前記固定受信装置に付属するリモコン装置であることを特徴とする請求項１から４の何れか一項に記載の移動体受信装置。 
【請求項６】
地上デジタル放送に含まれる固定受信用放送を受信可能な固定受信装置の選局を行うための操作部と、
前記操作部からの操作信号に基づくリモコン信号を前記固定受信装置に送信する送信部と、
地上デジタル放送に含まれ、前記固定受信用放送と番組内容が異なる移動体受信用放送を受信する受信部と、
前記受信部で受信した移動体受信用放送から映像信号及び音声信号を生成する信号処理部と、
前記信号処理部で生成された映像信号又は音声信号に基づいて映像又は音声を出力する出力部と、
前記操作部からの操作信号に含まれるチャンネル情報を記憶する記憶部と、
前記記憶部に記憶されているチャンネル情報に基づいて、前記受信部に当該チャンネルで提供されている移動体受信用放送を受信させる制御部と、
を備え、
前記操作部は、当該移動体受信装置において移動体受信用放送を視聴するための操作ボタンを有し、
前記制御部は、前記操作ボタンの操作により移動体受信用放送の視聴が有効となった場合に、前記受信部に移動体受信用放送を受信させることを特徴とする移動体受信装置。
【発明の詳細な説明】
【技術分野】
【０００１】
本発明は、デジタル放送受信装置に関し、特に、地上デジタル放送に含まれる移動体受信用放送（ワンセグ放送）を受信可能な移動体受信装置に関する。
【背景技術】
【０００２】
近年、地上デジタル放送のサービスとして、携帯電話等の移動体でも安定して受信できるように設計された移動体受信用放送（通称：ワンセグ放送）が開始され、ワンセグ放送を受信可能な移動体受信装置（例えば、携帯電話等の携帯端末）が急速に普及してきている。
日本の地上デジタル放送（ＩＳＤＢ−Ｔ：integrated service digital broadcasting-terrestrial）では、１チャンネル、６ＭＨｚの放送波は１３のセグメントと呼ばれる区画に分割されており、その中央の１セグメントがワンセグ放送に使用され、残りの１２セグメントは通常のテレビ放送（固定受信用放送）に使用される。
例えば、ハイビジョン放送（ＨＤＴＶ）では、１２セグメントを使用して１つの番組を放送する。また、標準画質の放送（ＳＤＴＶ）では、１番組に４セグメントを必要とするので、１２セグメントを使用して３つの番組を同時に放送することができる。
【０００３】
このワンセグ放送では、主として、固定受信用放送と同じ内容の番組が同時に放送されている（いわゆるサイマル放送）。つまり、ワンセグ放送では、固定受信用放送と同じ番組が、低解像度（例えば、ＱＶＧＡ（３２０×２４０ピクセル）の映像で提供されていることとなる。
【０００４】
ワンセグ放送を受信可能な移動体受信装置に関する技術としては、例えば、固定受信装置（通常のテレビジョン受像機）のリモコン装置にワンセグ放送の受信機能を設け、リモコン装置によりワンセグ放送を受信して視聴する技術が提案されている（特許文献１）。
特許文献１に記載の技術によれば、固定受信装置において固定受信用放送の番組を視聴中に席を外す必要が生じた場合でも、リモコン装置によりワンセグ放送により同じ番組を視聴することができるので、利便性に優れている。
【特許文献１】特開２００４−１２８７７５号公報
【発明の開示】
【発明が解決しようとする課題】
【０００５】
しかしながら、特許文献１に記載の技術では、リモコン装置においてワンセグ放送を視聴する場合には、視聴者がリモコン装置の受信機能を有効とした上で選局操作を行う必要がある。つまり、固定受信装置において特定チャンネルの固定受信用放送を受信して番組を視聴していて、その番組をリモコン装置で視聴したい場合であっても、リモコン装置においてわざわざ選局操作を行う必要があった。
【０００６】
また、近い将来、ワンセグ放送をサイマル放送とする制限が解除されると、ワンセグ放送の視聴形態は様変わりすると考えられる。例えば、野球中継の場合、ワンセグ放送ではバッターの視点から見た映像等が提供されることが考えられる。また例えば、クイズ番組の場合、ワンセグ放送でだけヒントや回答が提供されることが考えられる。
つまり、固定受信用放送で提供すると番組が成立しにくいような補助的な内容であって、番組の面白みを向上できるようなもの、すなわち固定受信用放送の番組にリンクした番組がワンセグ放送によって提供されるようになると考えられる。
【０００７】
本発明は、ワンセグ放送を受信可能な移動体受信装置であって、固定受信装置と連携することでワンセグ放送を簡単かつ有効に利用できる移動体受信装置を提供することを目的とする。
【課題を解決するための手段】
【０００８】
上記目的を達成するため、請求項１に記載の発明は、移動体受信装置において、
地上デジタル放送に含まれる固定受信用放送を受信可能な固定受信装置の選局を行うための操作部と、
前記操作部からの操作信号に基づくリモコン信号を前記固定受信装置に送信する送信部と、
地上デジタル放送に含まれる移動体受信用放送を受信する受信部と、
前記受信部で受信した移動体受信用放送から映像信号及び音声信号を生成する信号処理部と、
前記信号処理部で生成された映像信号又は音声信号に基づいて映像又は音声を出力する出力部と、
前記固定受信装置において選局されているチャンネルの情報を記憶する記憶部と、
前記記憶部に記憶されているチャンネル情報に基づいて、前記受信部に当該チャンネルで提供されている移動体受信用放送を受信させる制御部と、
を備えることを特徴とする。
【０００９】
請求項２に記載の発明は、請求項１に記載の移動体受信装置において、
前記記憶部は、前記操作部からの操作信号に含まれるチャンネル情報を記憶することを特徴とする。
【００１０】
請求項３に記載の発明は、請求項１又は２に記載の移動体受信装置において、
前記操作部は、当該移動体受信装置において移動体受信用放送を視聴するための操作ボタンを有し、
前記制御部は、前記操作ボタンの操作により移動体受信用放送の視聴が有効となった場合に、前記受信部に移動体受信用放送を受信させることを特徴とする。
【００１１】
請求項４に記載の発明は、請求項１から３の何れか一項に記載の移動体受信装置において、
前記移動体受信用放送で提供される番組内容は、前記固定受信用放送で提供される番組内容とは異なることを特徴とする。
【００１２】
請求項５に記載の発明は、請求項１から４の何れか一項に記載の移動体受信装置において、
前記固定受信装置に付属するリモコン装置であることを特徴とする。
【００１３】
請求項６に記載の発明は、移動体受信装置において、
地上デジタル放送に含まれる固定受信用放送を受信可能な固定受信装置の選局を行うための操作部と、
前記操作部からの操作信号に基づくリモコン信号を前記固定受信装置に送信する送信部と、
地上デジタル放送に含まれ、前記固定受信用放送と番組内容が異なる移動体受信用放送を受信する受信部と、
前記受信部で受信した移動体受信用放送から映像信号及び音声信号を生成する信号処理部と、
前記信号処理部で生成された映像信号又は音声信号に基づいて映像又は音声を出力する出力部と、
前記操作部からの操作信号に含まれるチャンネル情報を記憶する記憶部と、
前記記憶部に記憶されているチャンネル情報に基づいて、前記受信部に当該チャンネルで提供されている移動体受信用放送を受信させる制御部と、
を備え、
前記操作部は、当該移動体受信装置において移動体受信用放送を視聴するための操作ボタンを有し、
前記制御部は、前記操作ボタンの操作により移動体受信用放送の視聴が有効となった場合に、前記受信部に移動体受信用放送を受信させることを特徴とする。
【発明の効果】
【００１４】
本発明によれば、ワンセグ放送を受信可能な移動体受信装置において、ワンセグ放送を視聴する際、固定受信装置で視聴されている番組のチャンネルが自動的に選局されるので、ワンセグ放送を簡単かつ有効に利用することができる。
将来的に、ワンセグ放送をサイマル放送とする制限が解除され、固定受信用放送にリンクした番組がワンセグ放送で提供されるようになった場合に特に有効である。
【発明を実施するための最良の形態】
【００１５】
以下、本発明に係る移動体受信装置を実施するための最良の形態について、図面を参照して説明する。本実施の形態では、本発明に係る移動体受信装置を固定受信装置のリモコン装置に適用している。
【００１６】
図１は、本発明に係る移動体受信装置としてのリモコン装置１と、リモコン装置１により遠隔操作可能な固定受信装置２としてのテレビジョン受像機を示す外観図である。
例えば、液晶テレビ等の固定受信用のテレビジョン受像機２は、リモコン装置１により選局や音量調整等を遠隔操作される。また、リモコン装置１は、単体で地上デジタル放送に含まれるワンセグ放送を受信し、番組を視聴することが可能となっている。
【００１７】
図１に示すように、リモコン装置１は、例えば、電源ボタンや音量調整ボタン、選局用の数字ボタン等からなる操作部１６と、ワンセグ放送の映像を表示するＬＣＤパネル１５１を備える。
本実施形態では、リモコン装置１の操作部１６は、ワンセグ放送を視聴するためのワンセグボタン１６１を備える。ワンセグボタン１６１が操作されることに伴い、リモコン装置１においてワンセグ放送が受信され、ＬＣＤ１５１にワンセグ放送の映像が表示されることとなる。
このとき、テレビジョン受像機２で視聴している番組のチャンネルが、リモコン装置１で受信するワンセグ放送のチャンネルとして自動的に設定される。
【００１８】
図２は、本実施形態に係るリモコン装置１の概略構成を示すブロック図である。
図２に示すように、本実施形態のリモコン装置１は、アンテナ１１、ワンセグ放送チューナ部、ＴＳ分離部１３、デコード部１４、出力部１５、操作部１６、制御部１７、記憶部１８、送信部１９、を備えて構成される。
【００１９】
ワンセグ放送チューナ部１２は、例えば、ＲＦ部（図示略）、Ａ／Ｄ変換部（図示略）、復調部（図示略）等を備えて構成される。ＲＦ部は、アンテナ１１から入力されたテレビジョン放送信号（地上デジタル放送）を視聴者が所望するチャンネルのワンセグ放送のベースバンド信号に変換・増幅し出力する。Ａ／Ｄ変換部は、アナログ信号をデジタル（ベースバンド）信号に変換する。復調部は、ベースバンド信号を復調して、トランスポートストリーム信号（ＴＳ信号）を出力する。
【００２０】
ここで、トランスポートストリームとは、エレメンタリストリーム（ＥＳ：Elementary Stream、符号化された元の映像・音声データ）を適当な大きさに分割してパケット化したＰＥＳ（Packetized Elementary Stream）を多重化して伝送する形式の一つである。
【００２１】
ＴＳ分離部１３は、ワンセグ放送チューナ部１２から出力されたＴＳ信号を、符号化された元の映像・音声データ、その他のデータ（例えば、番組情報）に分離する。そして、分離された映像データを映像デコーダ１４１に出力し、音声データを音声デコーダ１４２に出力する。
【００２２】
デコード部１４は、映像デコーダ１４１と音声デコーダ１４２とからなり、ＴＳ分離部１３から出力されたデジタル映像データ又はデジタル音声データを復号するとともに、アナログの映像・音声データに変換して出力する。
具体的には、映像デコーダ１４１は、ＴＳ分離部１３から出力されたデジタル映像データ（例えば、Ｈ．２６４形式で符号化された映像データ）を復号し、復号したデジタル映像データをアナログ変換してアナログ映像データを出力する。音声デコーダ１４２は、ＴＳ分離部１３から出力されたデジタル音声データ（例えば、ＡＡＣ（Advanced Audio Cording）形式で符号化された音声データ）を復号し、復号したデジタル音声データをアナログ変換してアナログ音声データを出力する。
【００２３】
出力部１５は、ＬＣＤ（Liquid Crystal Display）等の映像表示部１５１とスピーカ等の音声出力部１５２とからなり、デコード部１４から出力されたアナログ映像データ又はアナログ音声データに基づく映像又は音声を出力する。
【００２４】
操作部１６は、図１に示すように、例えば、電源ボタンや音量調整ボタン、選局用の数字ボタン等からなる複数の操作ボタンで構成される。そして、視聴者が操作部１６を操作することに基づいて、操作信号を制御部１７に出力する。
また、操作部１６は、ＬＣＤ１５１においてワンセグ放送を視聴するためのワンセグボタン１６１を有する。視聴者によってワンセグボタン１６１が操作されると、ＬＣＤ１５１にワンセグ放送の映像が表示される。
【００２５】
送信部１９は、操作部１６から出力された操作信号に基づくリモコン信号（赤外線信号）をテレビジョン受像機２に送信する。視聴者は、リモコン装置１の操作部１６により選局操作を行うことで、テレビジョン受像機２の選局を行うことができる。
【００２６】
記憶部１８は、例えば、ＲＡＭ又はＲＯＭ等の半導体メモリで構成され、テレビジョン受像機２において選局されているチャンネルの情報を記憶する。例えば、リモコン装置１の操作部１６により選局操作が行われたときに、この選局操作信号に含まれるチャンネル情報を記憶する。
【００２７】
制御部１７は、ＣＰＵ（Central Processing Unit）１７１、ＲＡＭ（Random Access Memory）１７２、ＲＯＭ（Read Only Memory）１７３、を備える。
ＣＰＵ１７１は、例えば、ＲＯＭ１７３に格納された処理プログラム等を読み出して、ＲＡＭ１７２に展開して実行することにより、リモコン装置１全体の制御を行う。例えば、操作部１６から操作信号が入力されると、送信部１９からリモコン信号を送信させる。
ＲＡＭ１７２は、ＣＰＵ１７１により実行された処理プログラム等を、ＲＡＭ１７２内のプログラム格納領域に展開するとともに、上記処理プログラムが実行される際に生じる処理結果等をデータ格納領域に格納する。
ＲＯＭ１７３は、例えば、半導体メモリ等で構成され、処理プログラムやデータ等が予め記憶されている。ＲＯＭ１７３には、例えば、テレビジョン受像機２で視聴されているチャンネルの情報を記憶部１８に記憶させるチャンネル情報記憶プログラムや、リモコン装置１においてワンセグ放送を受信するためのワンセグ放送受信プログラム等が記憶されている。
【００２８】
本実施形態では、制御部１７は、各ブロックを制御することにより、ワンセグ放送を受信させ、ワンセグ放送で提供される番組の映像・音声を出力させる。このとき、記憶部１８に記憶されているチャンネル情報を参照することにより、テレビジョン受像機２で視聴されているチャンネルのワンセグ放送を受信する。なお、リモコン装置１におけるワンセグ放送の受信処理については後述する。
【００２９】
上述したように、本実施形態のリモコン装置１は、地上デジタル放送に含まれる固定受信用放送を受信可能なテレビジョン受像機（固定受信装置）２の選局を行うための操作部１６と、操作部１６からの操作信号に基づくリモコン信号をテレビジョン受像機２に送信する送信部１９と、地上デジタル放送に含まれるワンセグ放送を受信するワンセグ放送チューナ部１２と、ワンセグ放送チューナ部１２で受信したワンセグ放送から元の映像信号又は音声信号を生成するＴＳ分離部１３、デコード部１４と、生成された映像信号に基づく映像を出力するＬＣＤ１５１と、音声信号に基づく音声を出力するスピーカ１５２と、テレビジョン受像機２において選局されているチャンネルの情報を記憶する記憶する記憶部１８と、記憶部１８に記憶されているチャンネル情報に基づいて、ワンセグ放送チューナ部１２に当該チャンネルで提供されているワンセグ放送を受信させる制御部１７と、を備える。
また、操作部１６は、リモコン装置１においてワンセグ放送を視聴するための操作ボタン（ワンセグボタン）１６１を有する。そして、制御部１７は、ワンセグボタン１６１の操作によりワンセグ放送の視聴が有効となった場合に、ワンセグ放送を受信させる。
【００３０】
以下に、リモコン装置１において、ワンセグ放送を受信する方法について具体的に説明する。本実施形態では、テレビジョン受像機２で視聴されているチャンネルのワンセグ放送がリモコン装置１において自動的に受信されるようになっている。また、ワンセグ放送の番組内容は、例えば、同一チャンネルで提供される固定受信用放送の番組内容とリンクした内容（固定受信用放送の番組内容とは異なる）とされる。
【００３１】
図３は、記憶部１８にチャンネル情報を記憶させるチャンネル情報記憶処理の一例を示すフローチャートである。この処理は、ＣＰＵ１７１がＲＯＭ１７３内のチャンネル情報記憶プログラムを実行することにより実現される。
【００３２】
ステップＳ１０１では、テレビジョン受像機２の電源がオンとなっているか判定する。そして、テレビジョン受像機２の電源がオンであると判定した場合はステップＳ１０２に移行する。テレビジョン受像機２の電源がオフである場合は、電源がオンとなるまでステップＳ１０１の処理を繰り返す。
【００３３】
ステップＳ１０２では、テレビジョン受像機２の選局操作が行われたか判定する。例えば、リモコン装置１の操作部１６の数字ボタンが操作される等して、所定の選局操作信号が制御部１７に出力されることに基づいて判定する。そして、テレビジョン受像機２の選局操作が行われたと判定した場合はステップＳ１０３に移行し、選局操作が行われていないと判定した場合はステップＳ１０４に移行する。
【００３４】
ステップＳ１０３では、リモコン装置１の操作部１６から出力された操作信号に含まれるチャンネルの情報を記憶部１８に記憶する。つまり、テレビジョン受像機２で現在視聴されているチャンネルの情報が記憶部１８に記憶された状態となる。
【００３５】
ステップＳ１０４では、テレビジョン受像機２の電源がオフされたか判定する。そして、テレビジョン受像機２の電源がオフされたと判定した場合は処理を終了し、電源がオフされていないと判定した場合はステップＳ１０２に移行して処理を繰り返す。
つまり、テレビジョン受像機２の電源がオフされるまで、選局操作が行われるたびに記憶部１８のチャンネル情報は更新されることとなり、記憶部１８にはテレビジョン受像機２で現在視聴されているチャンネルの情報が常に記憶されていることとなる。
なお、テレビジョン受像機２の電源がオフされた後でも、記憶部１８のチャンネル情報は消去されないものとし、これをテレビジョン受像機２の電源がオンされたときのチャンネル情報の初期値とする。
【００３６】
図４は、リモコン装置１でワンセグ放送を受信する際のワンセグ放送受信処理の一例を示すフローチャートである。この処理は、ＣＰＵ１７１がＲＯＭ１７３内のワンセグ放送受信プログラムを実行することにより実現される。
【００３７】
ステップＳ２０１では、リモコン装置１のワンセグボタン１６１が操作されたか判定する。そして、ワンセグボタン１６１が操作されたと判定した場合はステップＳ２０２に移行する。ワンセグボタン１６１が操作されていないと判定した場合は、ワンセグボタン１６１が操作されるまでステップＳ２０１の処理を繰り返す。
【００３８】
ステップＳ２０２では、テレビジョン受像機２の電源がオンとなっているか判定する。そして、テレビジョン受像機２の電源がオンであると判定した場合はステップＳ２０３に移行する。テレビジョン受像機２の電源がオフである場合は、そのまま処理を終了する。本実施形態では、テレビジョン受像機２で番組が視聴されている場合に、その番組にリンクしたワンセグ放送の番組（固定受信用放送の番組内容を補完するような番組）をリモコン装置１で視聴するようにしているため、テレビジョン受像機２の電源がオフである場合にはワンセグ放送を受信しないようにしている。
なお、テレビジョン受像機２とは独立して、リモコン装置１においてワンセグ放送を受信できる構成としても良い。
【００３９】
ステップＳ２０３では、記憶部１８に記憶されているチャンネル情報を取得する。つまり、現在テレビジョン受像機２で視聴されている番組のチャンネル情報が取得されることとなる。
ステップＳ２０４では、取得されたチャンネルのワンセグ放送を受信するとともに、所定の信号処理を施し、映像・音声を出力する。例えば、テレビジョン受像機２においてｎチャンネルの番組が視聴されていた場合は、リモコン装置１においてｎチャンネルのワンセグ放送が受信され、その番組の映像・音声が出力されることとなる。
【００４０】
ステップＳ２０５では、テレビジョン受像機２の選局操作が行われたか判定する。例えば、リモコン装置１の操作部１６の数字ボタンが操作される等して、所定の選局操作信号が制御部１７に出力されることに基づいて判定する。そして、テレビジョン受像機２の選局操作が行われたと判定した場合はステップＳ２０３に移行し、記憶部１８からチャンネル情報を再取得する。つまり、ワンセグ放送を受信中に選局操作が行われた場合には、テレビジョン受像機２における視聴チャンネルに連動してワンセグ放送の受信チャンネルが変更される。
【００４１】
ステップＳ２０６では、テレビジョン受像機２の電源がオフされたか判定する。そして、テレビジョン受像機２の電源がオフされたと判定した場合は処理を終了し、電源がオフされていないと判定した場合はステップＳ２０４に移行して処理を繰り返す。テレビジョン受像機２の電源がオフされるまでリモコン装置１においてワンセグ放送が受信されることとなり、テレビジョン受像機２の電源がオフされるとワンセグ放送の受信も終了されることとなる。
【００４２】
このように、本実施形態のリモコン装置１では、ワンセグボタン１６１が操作された場合に、テレビジョン受像機２で現在視聴されているチャンネルのワンセグ放送が受信されるので、テレビジョン受像機２と同じチャンネルの番組をリモコン装置１でも簡単に視聴できる状態となる。視聴者が、テレビジョン受像機２で視聴しているチャンネルと同じチャンネルのワンセグ放送をリモコン装置１で受信したい場合に、所望するチャンネルの選局操作を新たに行う必要はなくなるので有効である。
【００４３】
例えば、野球中継においてバッターの視点から見た映像等がワンセグ放送で提供される場合や、クイズ番組においてヒントや回答をワンセグ放送でだけ提供される場合のように、固定受信用放送にリンクする番組内容がワンセグ放送で提供される場合に有効である。視聴者は、テレビジョン受像機２で視聴しているチャンネルをリモコン装置１において視聴すると考えられるためである。
【００４４】
上述したように、本実施形態に係るリモコン装置１によれば、ワンセグ放送を視聴する際、テレビジョン受像機２で視聴されている番組のチャンネルが自動的に選局されるので、ワンセグ放送を簡単かつ有効に利用することができる。
将来的に、ワンセグ放送をサイマル放送とする制限が解除され、固定受信用放送にリンクした番組がワンセグ放送で提供されるようになった場合に特に有効である。
【００４５】
以上、本発明者によってなされた発明を実施形態に基づいて具体的に説明したが、本発明は上記実施形態に限定されるものではなく、その要旨を逸脱しない範囲で変更可能である。
例えば、テレビジョン受像機２とは独立して、リモコン装置１においてワンセグ放送を受信可能な構成としても良い。具体的には、テレビジョン受像機２の電源がオフとなっているときにリモコン装置１においてワンセグ放送を受信したり、テレビジョン受像機２で視聴されているチャンネルとは別のチャンネルをリモコン装置１において受信したりできるようにしてもよい。この場合、リモコン装置１の操作部１６によってワンセグ放送の選局操作が行われることとなる。
【００４６】
また、上記実施形態では、テレビジョン受像機２に付属するリモコン装置１に本発明を適用した場合について説明したが、例えば、ワンセグ放送を受信可能な携帯電話等の携帯端末に適用することもできる。
【００４７】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】本発明に係る移動体受信装置としてのリモコン装置１と、リモコン装置１により遠隔操作可能な固定受信装置２としてのテレビジョン受像機を示す外観図である。
【図２】本実施形態に係るリモコン装置１の概略構成を示すブロック図である。
【図３】記憶部１８にチャンネル情報を記憶させるチャンネル情報記憶処理の一例を示すフローチャートである。
【図４】リモコン装置１でワンセグ放送を受信する際のワンセグ放送受信処理の一例を示すフローチャートである。
【符号の説明】
【００４９】
１  リモコン装置（移動体受信装置）
１１  アンテナ
１２  ワンセグ放送チューナ部（受信部）
１３  ＴＳ分離部
１４  デコード部（信号処理部）
１５  出力部
１５１  映像出力部（ＬＣＤ）
１５２  音声出力部（スピーカ）
１６  操作部
１６１  ワンセグボタン
１７  制御部
１７１  ＣＰＵ
１７２  ＲＡＭ
１７３  ＲＯＭ
１８  記憶部
１９  送信部
２  テレビジョン受像機（固定受信装置）
【図１】
2009088624.tif 000003
【図２】
2009088624.tif 000004
【図３】
2009088624.tif 000005
【図４】
2009088624.tif 000006